(57)【要約】【課題】利用者が簡便にオンラインブックマークサービスを利用することを目的とする。【解決手段】ネットワーク上に提供されたコンテンツを表示／再生する利用者端末とブックマークを管理するサービス提供システムとを有するオンラインブックマークサービス提供システムにおいて、利用者端末にユニークな識別情報を送信する携帯用ブックマーク装置を有し、前記利用者端末は、前記携帯用ブックマーク装置から受信した前記ユニークな識別情報を記録し、表示／再生されているコンテンツをブックマークとして登録することを要求された登録要求信号を受信した場合、表示／再生しているコンテンツの識別子を特定し、記録されている前記ユニークな識別情報と、前記コンテンツの識別子と、を前記サービス提供システムへ送信し、前記サービス提供システムにて登録されたことを表示する。【選択図】        図１
2004341908.tif 000002
【特許請求の範囲】
【請求項１】
ネットワーク上に提供されたコンテンツを表示／再生する利用者端末とブックマークを管理するサービス提供システムとを有するオンラインブックマークサービス提供システムにおいて、
利用者端末にユニークな識別情報を送信する携帯用ブックマーク装置を有し、
前記利用者端末は、前記携帯用ブックマーク装置から受信した前記ユニークな識別情報を記録し、表示／再生されているコンテンツをブックマークとして登録することを要求された登録要求信号を受信した場合、表示／再生しているコンテンツの識別子を特定し、記録されている前記ユニークな識別情報と、前記コンテンツの識別子と、を前記サービス提供システムへ送信し、前記サービス提供システムにて登録されたことを表示することを特徴とするオンラインブックマークサービス提供システム。
【請求項２】
前記利用者端末は、
前記携帯用ブックマーク装置からのブックマークの呼び出しを要求された呼出要求信号を受信した場合、前記呼出要求信号に基づいて設定されているコンテンツの識別子と、予め記録されている前記ユニークな識別情報とを前記サービス提供システムへ送信し、前記呼び出しを要求されたブックマークに対応するコンテンツを表示／再生させることを特徴とする請求項１に記載のオンラインブックマークサービス提供システム。
【請求項３】
前記利用者端末は、
前記携帯用ブックマーク装置からのサービスの利用を終了する終了信号を受信した場合、予め記録されている前記ユニークな識別情報を消去することを特徴とする請求項１又は２に記載のオンラインブックマーク提供システム。
【請求項４】
ネットワーク上に提供されたコンテンツを表示／再生する利用者端末に表示／再生されているコンテンツをブックマークとしての登録、又は既に登録されたブックマークに対応するコンテンツの利用者端末での表示／再生を要求するための携帯用ブックマーク装置において、
前記携帯用ブックマーク装置毎に設定されたユニークな識別情報を記録する識別情報記録手段と、
前記ブックマークの登録又は登録されたブックマークに対応するコンテンツを前記利用者端末に表示／再生させるための要求信号を送信する信号送信手段とを有することを特徴とする携帯用ブックマーク装置。
【請求項５】
予め登録されているブックマークに対応したコンテンツを前記利用者端末から呼び出して表示／再生させる呼出手段と、
前記利用者端末に対して表示／再生されているコンテンツをブックマークとして登録するための登録手段と、
前記利用者端末の利用を終了するための利用終了手段とを有することを特徴とする請求項４に記載の携帯用ブックマーク装置。
【請求項６】
前記識別情報記録手段と、前記信号送信手段とは、着脱可能に構成されることを特徴とする請求項４又は５に記載の携帯用ブックマーク装置。
【請求項７】
コンテンツの参照先がブックマークに対応付けられている携帯用ブックマーク装置からの要求に応じてブックマークの登録及び呼び出されたブックマークに対応するコンテンツの表示／再生を行うための利用者端末において、
前記携帯用ブックマーク装置を識別するためのユニークな識別情報を読み取るための識別情報読取手段と、
前記携帯用ブックマーク装置からの表示／再生されているコンテンツをブックマークとして登録する登録要求、該ブックマークに登録されたコンテンツを表示／再生させるための呼出要求、及び前記利用者端末の利用を終了させる利用終了要求に対する信号を受信する信号受信手段とを有することを特徴とする利用者端末。
【請求項８】
前記識別情報読取手段から受信された前記携帯用ブックマーク装置の識別情報を記録する記録手段を有し、
前記呼出要求に対しては、前記記録手段にて記録されている前記ユニークな識別情報と、呼出要求に対応して設定されているコンテンツの識別子とに基づいて、前記ブックマークに登録されたコンテンツを表示／再生することを特徴とする請求項７に記載の利用者端末。
【請求項９】
前記信号受信手段にて前記登録要求を受信した場合、識別情報読取手段に登録する前記携帯用ブックマーク装置の識別情報を新たに受信することを特徴とする請求項８に記載の利用者端末。
【請求項１０】
前記信号受信手段にて利用終了要求を受信した場合、前記記録手段に記録されている前記ユニークな識別情報を消去することを特徴とする請求項８に記載の利用者端末。
【請求項１１】
コンテンツの参照先がブックマークに対応付けられる携帯用ブックマーク装置からの要求に応じてブックマークの登録及び呼び出されたブックマークに対応するコンテンツの表示／再生をコンピュータに実行させるためのオンラインブックマークサービス利用プログラムにおいて、
前記携帯用ブックマーク装置を識別するためのユニークな識別情報を記録する記録処理と、
前記携帯用ブックマーク装置からの表示／再生されているコンテンツをブックマークとして登録するための登録要求と、前記ブックマークに登録されたコンテンツを表示／再生させるための呼出要求と、前記利用者端末の利用を終了させる利用終了要求に対応する要求対応処理と、
前記要求対応処理の内容及び結果における表示を行う表示処理とをコンピュータに実行させるためのプログラム。
【発明の詳細な説明】
【０００１】
【発明の属する技術分野】
本発明は、オンラインブックマークサービス提供システム、携帯用ブックマーク装置、利用者端末、及びオンラインブックマークサービス利用プログラムに関する。
【０００２】
【従来の技術】
近年、インターネットや移動体通信ネットワーク上に設けられたサーバにおいて、個々の利用者毎にブックマーク（しおり付けしたコンテンツのＵＲＬやアドレス等の識別情報等）を管理するサービス（以下、オンラインブックマークサービスという）が展開されている。
【０００３】
このオンラインブックマークサービスでは、利用者一人一人によって異なるコンテンツを閲覧してブックマークさせるために、個々の利用者毎にブックマークを管理しておく必要がある。
【０００４】
そのため、従来のオンラインブックマークサービス形態では、個々の利用者を識別するための識別情報が、利用者個々へのサービスの提供に先立って各利用者毎に割り当てられる。従って、利用者は、サービスを利用するにあたり、利用者端末から自身に割り当てられた識別情報をサービス提供側へ通知して、自己に対応するブックマークを取得する。
【０００５】
ここで、利用者が識別情報の入力を行うための構成としては、オンラインブックマークサービスを提供するサーバが利用者端末に対して利用者の識別情報を入力させるための画面を提示し、利用者がこの画面によりキーボード等を用いて手動で識別情報を入力するものとなっていた。
【０００６】
また、最近では、インターネット等のネットワークに接続された利用者端末を介して、利用者がネットワーク上のサイトから提供されるウェブページや映像・音声等のコンテンツの閲覧を行う際に、携帯用のブックマーク装置を用いて、閲覧中のコンテンツを識別する情報や閲覧／再生状態をブックマーク（しおり）としてネットワーク上に設けられた所定のサーバに記録することで、一旦利用を中断した後でも、利用者が同一利用者端末又は別の利用者端末において容易に該当するコンテンツを呼び出して再利用することが可能なオンラインブックマークサービスを提供することを可能にしている（例えば、特許文献１参照。）。
【０００７】
特許文献１では、個々の利用者毎にブックマークを管理し、利用者毎に異なるブックマークができるような機能を提供するために、利用者端末で用いる携帯用ブックマーク装置にユニークな識別情報を格納し、携帯用ブックマーク装置からブックマーク要求やコンテンツ表示／再生要求する際に、前記識別情報を前記要求と共に利用者端末に送信し、利用者端末はサービス提供システムにそれらの情報を送信することで、利用者毎のブックマークサービスが実現されている。
【０００８】
【特許文献１】
特開２００３−６２０２号公報
【０００９】
【発明が解決しようとする課題】
ところで、上述のオンラインブックマークにおいては、ウェブページ等が提供される提示装置に対して複数の携帯用ブックマーク端末数Ｎは１以上でよく、複数の携帯用ブックマーク端末が提示装置を用いて効率的に、ウェブページの登録処理や、現在提示されている画面の対象となっている携帯用ブックマーク端末は何であるか等、複数端末に対して更に高精度で使用性を向上できるような仕組みが必要である。
【００１０】
また、携帯用ブックマーク装置は、量産できるように安価に構成できることが好ましい。特許文献１では、携帯用ブックマーク装置から、利用者端末に送信する信号情報の中に、上述したブックマーク要求やコンテンツ表示／再生要求の信号情報に加えて、個別の携帯用ブックマーク装置の識別情報を含める必要がある。更に、利用者端末における携帯用ブックマーク装置の台数が多くなることを想定した場合、送信信号の伝送量をなるべく減少させることが好ましい。
【００１１】
本発明は、上述した問題点に鑑みなされたものであり、簡単な操作によりオンラインブックマークの登録、参照を行うことができ、更に、ユーザの使用性を向上させることができるオンラインブックマークサービス提供システム、携帯用ブックマーク装置、利用者端末、及びオンラインブックマークサービス利用プログラムを提供することを目的とする。
【００１２】
【課題を解決するための手段】
上記課題を解決するために、本件発明は、以下の特徴を有する課題を解決するための手段を採用している。
【００１３】
請求項１に記載された発明は、ネットワーク上に提供されたコンテンツを表示／再生する利用者端末とブックマークを管理するサービス提供システムとを有するオンラインブックマークサービス提供システムにおいて、利用者端末にユニークな識別情報を送信する携帯用ブックマーク装置を有し、前記利用者端末は、前記携帯用ブックマーク装置から受信した前記ユニークな識別情報を記録し、表示／再生されているコンテンツをブックマークとして登録することを要求された登録要求信号を受信した場合、表示／再生しているコンテンツの識別子を特定し、記録されている前記ユニークな識別情報と、前記コンテンツの識別子と、を前記サービス提供システムへ送信し、前記サービス提供システムにて登録されたことを表示することを特徴とする。
【００１４】
請求項１記載の発明によれば、利用者が簡便にオンラインブックマークサービスを利用することができる。また、利用者が携帯用ブックマーク装置の使用開始時に読み取り装置等によりユニークな識別情報を利用者端末に読み取らせることで、
利用者端末の操作及び画面表示等の対象となる携帯用ブックマーク装置についての対応付けを行い、それ以降対応付けられた携帯用ブックマーク装置からの要求信号を利用者端末に送信した場合に、その読み取った識別情報に基づく処理が行われるようにすることができる。更に、携帯用ブックマーク装置の使用時にのみ識別信号を利用者端末に送信すればよいため、他の信号の送信において効率的な信号の伝送を行うことができる。
【００１５】
請求項２に記載された発明は、前記利用者端末は、前記携帯用ブックマーク装置からのブックマークの呼び出しを要求された呼出要求信号を受信した場合、前記呼出要求信号に基づいて設定されているコンテンツの識別子と、予め記録されている前記ユニークな識別情報とを前記サービス提供システムへ送信し、前記呼び出しを要求されたブックマークに対応するコンテンツを表示／再生させることを特徴とする。
【００１６】
請求項２記載の発明によれば、１つの利用者端末に対して複数の携帯用携帯用ブックマーク装置からアクセスがあった場合にも、ユニークな識別情報に基づいて、対応するコンテンツを利用者に提示することができる。更に、携帯用ブックマーク装置の使用時にのみ識別信号を利用者端末に送信すればよいため、効率的な信号の伝送を行うことができる。
【００１７】
請求項３に記載された発明は、前記利用者端末は、前記携帯用ブックマーク装置からのサービスの利用を終了する終了信号を受信した場合、予め記録されている前記ユニークな識別情報を消去することを特徴とする。
【００１８】
請求項３記載の発明によれば、１つの利用者端末に対して複数の携帯用携帯用ブックマーク装置からアクセスがあった場合にも、ユニークな識別情報に基づいて、対応するコンテンツを利用者に提示することができる。更に、携帯用ブックマーク装置の使用時にのみ識別信号を利用者端末に送信すればよいため、効率的な信号の伝送を行うことができる。
【００１９】
請求項４に記載された発明は、ネットワーク上に提供されたコンテンツを表示／再生する利用者端末に表示／再生されているコンテンツをブックマークとしての登録、又は既に登録されたブックマークに対応するコンテンツの利用者端末での表示／再生を要求するための携帯用ブックマーク装置において、前記携帯用ブックマーク装置毎に設定されたユニークな識別情報を記録する識別情報記録手段と、前記ブックマークの登録又は登録されたブックマークに対応するコンテンツを前記利用者端末に表示／再生させるための要求信号を送信する信号送信手段とを有することを特徴とする。
【００２０】
請求項４記載の発明によれば、利用者に対して、簡便にオンラインブックマークサービスを利用することができる携帯用ブックマーク装置を提供することができる。また、識別情報とブックマーク情報とを同時に利用者端末に送信することがなく必要に応じて夫々送信すればよいため、効率的な信号の伝送を行うことができる。
【００２１】
請求項５に記載された発明は、予め登録されているブックマークに対応したコンテンツを前記利用者端末から呼び出して表示／再生させる呼出手段と、前記利用者端末に対して表示／再生されているコンテンツをブックマークとして登録するための登録手段と、前記利用者端末の利用を終了するための利用終了手段とを有することを特徴とする。
【００２２】
請求項５記載の発明によれば、コンテンツの登録、更に、表示／再生要求するコンテンツの特定を行うため、利用者は、携帯用ブックマーク装置に対して所定のアクション、例えばボタンの押下等をすることのみで表示／再生中のコンテンツのブックマーク及びブックマーク済みのコンテンツの表示／再生を行うことが可能となり、また利用終了手段を有することで、利用終了の確認を容易に行うことができる。これにより、提供するオンラインブックマークサービスの利便性を向上させることが可能となる。
【００２３】
請求項６に記載された発明は、前記識別情報記録手段と、前記信号送信手段とは、着脱可能に構成されることを特徴とする。
【００２４】
請求項６記載の発明によれば、識別情報記録手段を従来のリモコン等に取り付けることで従来のリモコンを有効利用することができる。これにより、専用のブックマーク装置を製造することで本発明を実現するだけでなく、リモコン機能を持つ携帯電話や携帯端末でも、識別情報記録手段を設置するだけで、携帯用ブックマーク装置として使用することができる。
【００２５】
請求項７に記載された発明は、コンテンツの参照先がブックマークに対応付けられている携帯用ブックマーク装置からの要求に応じてブックマークの登録及び呼び出されたブックマークに対応するコンテンツの表示／再生を行うための利用者端末において、前記携帯用ブックマーク装置を識別するためのユニークな識別情報を読み取るための識別情報読取手段と、前記携帯用ブックマーク装置からの表示／再生されているコンテンツをブックマークとして登録する登録要求、該ブックマークに登録されたコンテンツを表示／再生させるための呼出要求、及び前記利用者端末の利用を終了させる利用終了要求に対する信号を受信する信号受信手段とを有することを特徴とする。
【００２６】
請求項７記載の発明によれば、コンテンツの登録、更に、表示／再生要求するコンテンツの特定を行うため、利用者は、携帯用ブックマーク装置に対して所定のアクション、例えばボタンの押下等をすることのみで表示／再生中のコンテンツのブックマーク及びブックマーク済みのコンテンツの表示／再生を行うことが可能となり、また利用終了手段を有することで、利用終了の確認を容易に行うことができる。これにより、提供するオンラインブックマークサービスの利便性を向上させることが可能となる。
【００２７】
請求項８に記載された発明は、前記識別情報読取手段から受信された前記携帯用ブックマーク装置の識別情報を記録する記録手段を有し、前記呼出要求に対しては、前記記録手段にて記録されている前記ユニークな識別情報と、呼出要求に対応して設定されているコンテンツの識別子とに基づいて、前記ブックマークに登録されたコンテンツを表示／再生することを特徴とする。
【００２８】
請求項８記載の発明によれば、携帯用ブックマーク装置の使用時にのみ識別信号を利用者端末に送信すればよいため、効率的な信号の伝送を行うことができる。
【００２９】
請求項９に記載された発明は、前記信号受信手段にて前記登録要求を受信した場合、識別情報読取手段に登録する前記携帯用ブックマーク装置の識別情報を新たに受信することを特徴とする。
【００３０】
請求項９記載の発明によれば、１つの利用者端末に対して複数の携帯用ブックマーク装置からアクセスがあった場合にも、容易に対応することができ、利便性を向上させることができる。
【００３１】
請求項１０に記載された発明は、前記信号受信手段にて利用終了要求を受信した場合、前記記録手段に記録されている前記ユニークな識別情報を消去することを特徴とする。
【００３２】
請求項１０記載の発明によれば、利用終了手段を有することで、利用終了の確認を容易に行うことができる。これにより、提供するオンラインブックマークサービスの利便性を向上させることができる。
【００３３】
請求項１１に記載された発明は、コンテンツの参照先がブックマークに対応付けられる携帯用ブックマーク装置からの要求に応じてブックマークの登録及び呼び出されたブックマークに対応するコンテンツの表示／再生をコンピュータに実行させるためのオンラインブックマークサービス利用プログラムにおいて、前記携帯用ブックマーク装置を識別するためのユニークな識別情報を記録する記録処理と、前記携帯用ブックマーク装置からの表示／再生されているコンテンツをブックマークとして登録するための登録要求と、前記ブックマークに登録されたコンテンツを表示／再生させるための呼出要求と、前記利用者端末の利用を終了させる利用終了要求に対応する要求対応処理と、前記要求対応処理の内容及び結果における表示を行う表示処理とをコンピュータに実行させる。
【００３４】
請求項１１記載の発明によれば、コンテンツの登録、更に、表示／再生要求するコンテンツの特定を行うため、利用者は、携帯用ブックマーク装置に対して所定のアクション、例えばボタンの押下等をすることのみで表示／再生中のコンテンツのブックマーク及びブックマーク済みのコンテンツの表示／再生を行うことが可能となり、また利用終了手段を有することで、利用終了の確認を容易に行うことができる。これにより、提供するオンラインブックマークサービスの利便性を向上させることが可能となる。
【００３５】
【発明の実施の形態】
＜本発明の特徴＞
本発明は、携帯用ブックマーク装置として用いる個々のリモコン装置を識別するための識別情報を、リモコン装置とは別の利用者端末に付属可能な読み取り装置を利用者端末に有し、更に、読み取り装置により識別情報を読み取ることができる記憶媒体を携帯用ブックマーク装置に設ける。
【００３６】
利用者が携帯用ブックマーク装置の使用開始時に読み取り装置にその記録媒体から識別情報を利用者端末に読み取らせることで、利用者端末の操作及び画面表示等の対象となる携帯用ブックマーク装置についての対応付けを行い、それ以降対応付けられた携帯用ブックマーク装置からの要求信号を利用者端末に送信した場合に、その読み取った識別情報に基づく処理が行われるようにすることができる。
【００３７】
利用者がその識別情報での処理を終了する場合は、携帯用ブックマーク装置に備える終了ボタン等を押下することにより、利用者端末は読み取った識別情報に対する提示処理を終了させる。
【００３８】
これにより、１つの利用者端末に対して少なくとも１つの携帯用ブックマーク装置からアクセスがあった場合にも、モニタ等にて現在の使用状況や指示情報等を提示することにより、使用性を向上させることができる。更に、携帯用ブックマーク装置の使用開始時にのみ識別信号を利用者端末に送信すればよいため、効率的な信号の伝送を行うことができる。
【００３９】
なお、上述の記録媒体としては、非接触ＩＣカードや、ＲＦ−ＩＤタグを用いることができる。両者は共に対応するリーダ／ライタ装置を利用者端末につけることで、利用者はリーダ／ライタに非接触ＩＣカードやＲＦ−ＩＤタグをかざすことにより、利用者端末に識別情報を読み取らせることができるため、利用者端末に差し込んだりケーブルで繋いだりする手間もなく、利用者の利便性を向上させることができる。
【００４０】
例えば、カードサイズやコインサイズで１〜数ｍｍ程度の薄型媒体を用いることで、リモコン装置の背面等に貼付けられるだけで、上記のような使用を行うことができる。そのため、携帯用ブックマーク装置としてリモコン部は、機機毎に同じ信号を送信する同一のデバイスとして製造し、最後にこの識別情報を記録した記録媒体を貼るだけで、携帯用ブックマーク装置を作ることができる。なお、これら記録媒体は安価であるため、携帯用ブックマーク装置を安価に構成することができる。
【００４１】
以下に、上記のような特徴を有する本発明におけるオンラインブックマークサービス提供システム、携帯用ブックマーク装置、利用者端末、及びオンラインブックマークサービス利用プログラムを好適に実施した形態について、図面を用いて詳細に説明する。
【００４２】
＜システム構成＞
図１は、本発明におけるオンラインブックマークサービス提供システムの一構成概略例を示す図である。
【００４３】
図１のオンラインブックマークサービス提供システムは、オンラインブックマークサービス提供側１００と、コンテンツ提供側２００と、利用者側３００とにより構成されており、夫々が通信ネットワーク１によりデータの送信、受信が可能な状態で蓄積されている。
【００４４】
ここで、通信ネットワーク１は、例えば、利用者側３００に有する利用者端末３１０がパーソナルコンピュータ（ディスクトップ型、ノート型、ラップトップ型、パームトップ型等）のようなインターネットに接続する機能を有しているものである場合、ネットワーク１は、インターネットとされるものである。また、利用者端末３１０が、簡易型インターネット（移動体通信ネットワーク）に接続できるような携帯電話機等である場合には、ネットワーク１は、簡易型インターネットとされるものである。
【００４５】
次に、各主要構成部における動作概要について説明する。
【００４６】
＜オンラインブックマークサービス提供側１００＞
サービス提供システム１０１は、後述において説明するような動作を実行して本発明によるオンラインブックマークサービスを提供するものであり、単一のコンピュータで構成することも、複数のコンピュータで構成することも可能なものである。
【００４７】
また、ブックマークデータベース１０２は、ネットワーク１を介して利用者側３００から通知された各種情報を、利用者毎に記録・管理するものであり、通常のファイル形式により作成することも、リレーショナルデータベース等により作成することも可能なものである。但し、本実施形態では、リレーショナルデータベースで作成した場合について説明する。
【００４８】
ここで、ブックマークデータベース１０２のデータ構成については、属性として、例えば、携帯用ブックマーク装置ＩＤとブックマーク呼出ボタンＩＤとコンテンツ識別子と閲覧状態／再生状態とが設けられており、携帯用ブックマーク装置ＩＤは、携帯用ブックマーク装置３２０に対してユニークな情報であり、個々の携帯用ブックマーク装置３２０を個別に識別するための識別子である。但し、この携帯用ブックマーク装置ＩＤは、ユーザ（利用者）ＩＤとすることも可能である。
【００４９】
ブックマーク呼出ボタンＩＤは、携帯用ブックマーク装置３２０に設けられている各ボタンにおいて個別に割り当てられている識別子であり、何れのボタンが押下されたかをサービス提供システム１０１において判別するための情報である。但し、新規ブックマーク時に利用者端末３１０から通知される情報を新規ブックマークボタン個々に割り当てられた識別子（以下、新規ブックマークボタンＩＤという）とした場合、予めサービス提供システム１０１において、新規ブックマークボタンＩＤとブックマーク呼出ボタンＩＤとの対応を示すテーブルをメモリ等において保持しておく必要がある。また、この対応は、同一機種である携帯用ブックマーク装置において統一されるものとして構成するとよい。また、このような対応を利用者端末３１０において管理するよう構成することも可能である。コンテンツ識別子は、登録されたコンテンツのネットワーク１上の場所を特定するものであり、例えばホームページのＵＲＬであったり、ファイルのアドレスであったりする。
【００５０】
閲覧状態／再生状態は、上記のコンテンツの閲覧状態や再生状態を示すものであり、利用者が前回までにおいてどの程度、対象であるコンテンツを閲覧又は再生したかを示すものである。
【００５１】
従って、本実施形態によるサービス提供システム１０１は、利用者側３００から通知された携帯用ブックマーク装置ＩＤとブックマーク呼出ボタンＩＤとを用いて該当するコンテンツ識別子と閲覧状態／再生状態とを特定し、これを利用者側３００へ通知するよう動作する。
【００５２】
＜コンテンツ提供側２００＞
また、本実施形態によるコンテンツ提供側２００は、ホームページやファイル等のコンテンツを通信ネットワーク１を介して提供するサイトであり、コンテンツをネットワーク１上に置き、必要（要求）に応じて配信するためのコンテンツ提供システム２０１．１〜２０１．ｎを有して構成される。
【００５３】
＜利用者側３００＞
また、本実施形態による利用者側３００は、図１に示すように、利用者端末３１０と少なくとも１つの携帯用ブックマーク装置３２０．１〜３２０．ｎとを有して構成されており、利用者端末３１０と携帯用ブックマーク装置３２０とが、識別情報読取部３１１と識別情報記録部３２１、及びリモコン信号受信部３１２とリモコン部３２２とが無線通信により接続可能な状態になっている。
【００５４】
利用者端末３１０は、ネットワーク１上に置かれたコンテンツを閲覧する機能を有するものであり、例えばディスクトップ型、ノート型、ラップトップ型、パームトップ型等のコンピュータやＰＤＡや簡易型インターネット等に接続可能な携帯電話機等を用いることが可能である。
【００５５】
また、利用者端末３１０は、携帯用ブックマーク装置３２０から何らかの信号が入力された場合に、これを検知し、入力された内容に基づいて必要な情報をネットワーク１を介してサービス提供システム１０１へ送信するよう構成される。これは、必要な処理を実行するソフトウェアが予め利用者端末３１０へインストールされることで実現される。本説明では、このソフトウェアをブラウザソフトウェアという。また、このブラウザソフトウェアは、利用者が端末３１０においてコンテンツを閲覧／再生する際の動作も実行するものである。
【００５６】
また、利用者端末３１０には、識別情報読取部３１１、及びリモコン信号受信部３１２が接続されており、後述する携帯用ブックマーク装置３２０に設けられた識別情報記録部３２１、及びリモコン部３２２からの信号又は識別情報を取得する。
【００５７】
ここで、利用者端末３１０におけるオンラインブックマークサービスが利用
可能なコンピュータのハードウェア構成例について図を用いて説明する。図２は、本発明におけるオンラインブックマークサービスの利用が実現可能なハードウェア構成の一例を示す図である。
【００５８】
図２におけるコンピュータ本体（利用者端末）には、入力装置３３１と、出力装置３３２と、ドライブ装置３３３と、補助記憶装置３３４と、メモリ装置３３５と、各種制御を行うＣＰＵ（Ｃｅｎｔｒａｌ  Ｐｒｏｃｅｓｓｉｎｇ  Ｕｎｉｔ）３３６と、ネットワーク接続装置３３７と、リモコン信号受信部３１２と、識別情報読取部３１１とを有するよう構成されており、これらはシステムバスＢで相互に接続されている。
【００５９】
入力装置３３１は、使用者が操作するキーボード及びマウス等のポインティングデバイスを有しており、使用者からのプログラムの実行等、各種操作信号を入力する。出力装置３３２は、本発明におけるオンラインブックマークサービスを利用するためのコンピュータ本体を操作するのに必要な各種ウィンドウやデータ等を表示するモニタを有し、ＣＰＵ３３６に有する制御プログラムに基づいて、コンテンツやプログラム実行結果等を表示することができる。
【００６０】
ここで、本発明において、コンピュータ本体にインストールされる実行プログラムは、例えば、ＣＤ−ＲＯＭ等の記録媒体３３８等により提供される。プログラムを記録した記録媒体３３８はドライブ装置３３３にセット可能であり、記録媒体３３８に含まれる実行プログラムが、記録媒体３３８からドライブ装置３３３を介して補助記憶装置３３４にインストールされる。
【００６１】
補助記憶装置３３４は、ハードディスク等のストレージ手段であり、本発明における実行プログラムや、コンピュータに設けられた制御プログラムの他に、ドライブ装置３３３から読み取ることができる後述するオンラインブックマークサービス利用プログラムを蓄積し、必要に応じて入出力を行うことができる。
【００６２】
ＣＰＵ３３６は、ＯＳ（Ｏｐｅｒａｔｉｎｇ  Ｓｙｓｔｅｍ）等の制御プログラム、メモリ装置３３５により読み出され格納されている実行プログラムに基づいて、各種演算や各ハードウェア構成部とのデータの入出力等、コンピュータ全体の処理を制御する。
【００６３】
ネットワーク接続装置３３７は、通信ネットワーク１と接続することにより、実行プログラムを通信ネットワークに接続されている他の端末等から取得したり、本発明におけるオンラインブックマークサービスを利用するための動作手順を規定したプログラムを実行することで得られた情報若しくは出力装置３３２にて表示される画面のレイアウト等の情報、またはオンラインブックマークサービス利用プログラム自体を他の端末等に提供することができる。
【００６４】
なお、本発明における言語間を対応付けするためのプログラムはＣＤ−ＲＯＭ等の持ち運び可能な記録媒体３３８に格納することにより任意の端末で実行することができる。上述したようなハードウェア構成により、特別な装置構成を必要とせず、低コストでオンラインブックマークサービスが利用可能となる。
【００６５】
次に、携帯用ブックマーク装置３２０の構成例について、図を用いて説明する。図３は、本発明における携帯用ブックマーク装置の一構成例を示す一例の図である。図３の携帯用ブックマーク装置３２０は、１つの利用者端末３１０に対して少なくとも１つの携帯用ブックマーク装置３２０．１〜３２０．ｎを用いることができ、夫々の携帯用ブックマーク装置３２０には、新規ブックマークボタン３２５．１，３２５．２，３２５．３よりなる新規ブックマークボタン群３２５と、ブックマーク呼出ボタン３２６．１，３２６．２，３２６．３よりなるブックマーク呼出ボタン群３２６と、利用終了ボタン３２７とを有している。
【００６６】
本実施形態において、例えば、新規ブックマークボタン３２５．１とブックマーク呼出ボタン３２６．１と、新規ブックマークボタン３２５．２とブックマーク呼出ボタン３２６．２と、新規ブックマークボタン３２５．３とブックマーク呼出ボタン３２６．３と、は各々対応するものとする。この対応は、利用者端末３１０、又は、サービス提供システム１０１において管理されているものとする。
【００６７】
リモコン部３２２では、例えば、携帯用ブックマーク装置を家電用リモコン装置として構成し、その送信信号から個々の携帯用ブックマーク装置毎の識別情報を除いたものとする。
【００６８】
利用者は、リモコン部３２２のボタンを押下すると、リモコン部３２２は押されたボタンに対する要求を信号として利用者端末３１０に接続されたリモコン信号受信部３１２に送信される。
【００６９】
識別情報記録部３２１は、個々の携帯用ブックマーク装置を識別するためのＩＤ番号等の識別情報を記録する記録媒体で、非接触ＩＣカードやＲＦ−ＩＤタグを用いることができる。１から数ｍｍ程度の薄型の媒体を用いることで、リモコン部３２２の背面等に貼り付けることができる。これらの記録媒体３２１は、利用者端末３１０に接続された識別情報読取部３１１で、利用者端末３１０に識別情報を読み取らせることができる。
【００７０】
以下では、サービス提供システム１０１において管理されている場合についてのシステム処理内容について説明する。携帯用ブックマーク装置３２０からの識別情報が識別情報読取部３１１へ入力された際に、その識別情報に基づいて、利用者端末への利用対象が対応づけられ、新規ブックマークボタンのＩＤに対応するブックマーク呼出ボタンのＩＤが特定され、これがネットワーク１を介してサービス提供システム１０１へ送信されるよう構成される。
【００７１】
すなわち、本実施形態では、例えば、新規ブックマークボタン３２５．１を用いて登録したコンテンツ識別子及び閲覧状態／再生状態は、ブックマーク呼出ボタン３２６．１を押下することにより利用者端末３１０へ表示／再生されるよう構成する。
【００７２】
利用者は、利用者端末３１０のブラウザソフトウェアを用いてネットワーク１上に置かれたコンテンツを閲覧／再生している状態において、このコンテンツをブックマークする場合、携帯用ブックマーク装置３２０の新規ブックマークボタン群の何れかを押下する。
【００７３】
ここで、例えば、新規ブックマークボタン３２５．１が押下されたとすると、携帯用ブックマーク装置３２０からは、押下された新規ブックマークボタン３２５．１のＩＤが利用者端末３１０へ送信される。但し、新規ブックマークボタンＩＤやブックマーク呼出ボタンＩＤ等は、携帯用ブックマーク装置３２０に格納されたＲＯＭ等のメモリに予め格納されているよう構成する。
【００７４】
利用者端末３１０は、リモコン信号受信部３１２にて受信した信号に、新規ブックマークボタンの識別情報（新規ブックマークボタンＩＤ）が含まれている場合、予め記録されている携帯用ブックマーク装置３２０に割り当てられたユニークな識別情報（携帯用ブックマーク装置ＩＤ）と、この携帯用ブックマークＩＤ及び新規ブックマークボタンＩＤと、現在ブラウザソフトウェアで表示／再生しているコンテンツの識別子と、このコンテンツの閲覧／表示状態とをネットワーク１を介してサービス提供システム１０１へ送信する。但し、本実施形態において、新規ブックマークボタンＩＤとブックマーク呼出ボタンＩＤとは、区別して識別することができるように構成される。これは、例えば各ＩＤを８ビットの２値データとして構成した場合、所定番目のビットに‘０’が格納されていれば新規ブックマークボタンＩＤであり、‘１’が格納されていればブックマーク呼出ボタンＩＤであるとするよう構成することで解決される。
【００７５】
また、利用終了ボタン３２７が押下された場合は、該当ボタンを識別するためのボタンのＩＤ情報をリモコン信号受信部３１２に送信し、利用者端末３１０へ携帯用ブックマーク装置３２０に基づく利用者端末３１０の表示／再生を終了する。
【００７６】
サービス提供システム１０１は、ネットワーク１を介して受信した各情報において、まず、押下されたボタンのＩＤを基に要求されたサービス（機能）を判別する。この場合、新規ブックマークボタン３２５．１に対応するＩＤであるため、サービス提供システム１０１は、受信した携帯用ブックマーク装置ＩＤと、新規ブックマークボタン３２５．１に対応づけられたブックマーク呼出ボタン３２６．１のＩＤと、同じく受信したコンテンツ識別子と閲覧状態／再生状態と、をブックマークデータベース１０１における同一レコードに格納する。ここで、登録した結果（ブックマーク結果）を利用者端末３１０へ通知し、利用者に確認させるよう構成するとよい。
【００７７】
また、利用者は、利用者端末３１０を用いて、過去にブックマークしたコンテンツを閲覧する場合、携帯用ブックマーク装置３２０におけるブックマーク呼出ボタン群３２６の何れかを押下する。ここで、上記の説明とあわせるために、ブックマーク呼出ボタン３２６．１を押下した場合について以下に説明する。
【００７８】
ブックマーク呼出ボタン３２６．１が押下されると、携帯用ブックマーク装置３２０は、利用者端末３１０に予め記録させた携帯用ブックマーク装置ＩＤと押下されたブックマーク呼出ボタン３２６．１のＩＤとを送信する。
【００７９】
利用者端末３１０は、受信した各情報にブックマーク呼出ボタンＩＤが含まれている場合、この携帯用ブックマーク装置ＩＤとブックマーク呼出ボタンＩＤとをネットワーク１を介してサービス提供システム１０１へ通知する。
【００８０】
サービス提供システム１０１では、上記と同様に、ネットワーク１を介して受信した各情報において、まず、押下されたボタンのＩＤを基に要求されたサービス（機能）を判別する。この場合、ブックマーク呼出ボタン３２６．１に対応するＩＤであるため、サービス提供システム１０１は、受信した携帯用ブックマーク装置ＩＤ及びブックマーク呼出ボタンＩＤに対応づけられたコンテンツ識別子及び閲覧状態／再生状態をブックマークデータベース１０２より特定し、これをネットワーク１を介して利用者端末３１０へ送信する。
【００８１】
利用者端末３１０では、受信したコンテンツ識別子と閲覧状態／再生状態に基づいてブラウザソフトウェアがネットワーク１上に置かれた該当するコンテンツを取得し、これをモニタやスピーカ等の出力装置３３２を用いて表示／再生する。
【００８２】
但し、図３に示した携帯用ブックマーク装置３２０の構成は、本実施形態を説明するための一例に過ぎず、この構成は、本発明の主旨を逸脱しない範囲において種々変形して実施されるものである。
【００８３】
次に、上述したオンラインブックマークサービス提供システムにおけるオンラインブックマークサービスの利用動作について、利用者端末３１０を主として図面を用いて詳細に説明する。
【００８４】
なお、以下に示す本動作においては、利用者端末３１０の各動作は、予め利用者端末３１０に組み込まれているオンラインブックマークサービス利用プログラムにより、実行されるものである。また、このオンラインブックマークにおけるサービスをモニタ等の出力装置３３２にて出力されるためのブラウザソフトウェアを有している。更に、以下に示すようなオンラインブックマークサービスの利用における動作手順は利用者端末３１０に具備されたＣＰＵ３３６により制御が行われる。
【００８５】
＜利用者端末と携帯用ブックマーク装置とが１対１の関係の場合＞
図４は、本実施形態における利用者端末の概略動作例を示す第１のフローチャートである。なお、図４は、利用者端末と携帯用ブックマーク装置とが１対１の関係の場合について説明するものである。
【００８６】
まず、利用者端末３１０の識別情報読取部３１１に使用者が使用する携帯用ブックマーク装置３２０に備える識別情報記録部３２１に記録されている識別情報（携帯用ブックマーク装置ＩＤ）を読み込む（Ｓ０１）。利用者端末３１０は、携帯用ブックマーク装置３２０に設けられた利用終了ボタンが押下され、それまで利用者端末３１０の対象となっていた携帯用ブックマーク装置ＩＤを消去するまで、読み込まれたＩＤに基づいてブックマークの参照等が行えるように利用者端末のメモリ装置３３５や、補助記憶装置３３４等の記録領域内に記録する（Ｓ０２）。
【００８７】
次に、利用者により携帯用ブックマーク装置３２０の何れかのボタンが押下されると、携帯用ブックマーク装置３２０では、ボタンが押下されたことが検知されると（Ｓ０３）、このボタンに対応するＩＤ（新規ブックマークボタンＩＤ又はブックマーク呼出ボタンＩＤ）を、リモコン部３２２からリモコン信号受信部３１２へ送信する（Ｓ０４）。
【００８８】
利用者端末３１０は、受信した押下されたボタンのＩＤに基づいて、ボタンの種類を判別する（Ｓ０５）。Ｓ０５において、新規ブックマークボタンが押下された場合は、新規ブックマークボタン群３２５のボタン（新規ブックマークボタン）が押下されたと判別された場合、利用者端末３１０は、現在立ち上げられているブラウザソフトウェアにおいて表示／再生されているコンテンツの識別子（ＵＲＬやアドレス等）と、現在の閲覧状態／再生状態を取得する（Ｓ０６）。
【００８９】
このコンテンツは、上述でも説明したように、コンテンツ提供側２００のコンテンツ提供システム２０１．１…２０１．ｎから取得し、ブラウザソフトウェアにより表示／再生されているものである。ここで、Ｓ０６においてブラウザソフトウェアが立ち上げられていない場合、利用者端末３１０は、携帯用ブックマーク装置３１０から通知された各ＩＤをキャンセルするよう構成するとよい。
【００９０】
Ｓ０６において、現在ブラウザソフトウェアにおいて表示／再生されているコンテンツの識別子と閲覧状態／再生状態を取得すると、利用者端末３１０は、このコンテンツ識別情報と閲覧状態／再生状態の情報（本説明では、閲覧状態／再生状態と省略して説明する）と、上記ステップで携帯用ブックマーク装置３２０から予め受信され記録されている携帯用ブックマーク装置の識別番号ＩＤと、新規ブックマークボタンＩＤとをネットワーク１を介してサービス提供システム１０１へ送信する（Ｓ０７）。
【００９１】
サービス提供システム１０１では、受信した情報を参照して新規ブックマークボタンＩＤが含まれていることが判別され、この新規ブックマークボタンＩＤに対応するブックマーク呼出ボタンＩＤが特定され、特定されたブックマーク呼出ボタンＩＤと、受信した情報に含まれる携帯用ブックマークＩＤ及びコンテンツ識別子及び閲覧状態／再生状態と、がブックマークデータベース１０２の同一レコードへ格納される（Ｓ０８）。ここで、閲覧状態／再生状態は、後に利用者が何れかの端末から閲覧／再生を要求した場合に、登録時の閲覧状態や再生状態から継続して閲覧／再生できるよう構成するためのものである。
【００９２】
また、このように各情報を対応してブックマークデータベース１０２へ登録後、サービス提供システム１０１は、この登録結果を利用者端末３１０へ通知し（Ｓ０９）、利用者端末３１０において利用者へ登録結果が表示される（Ｓ１０）。通知される登録結果としては、登録が正常に終了したかを示す情報や、携帯用ブックマーク装置３２０の何れのブックマーク呼出ボタンに該当するコンテンツが割り当てられたかを示す情報等である。また、本実施形態で提供されるオンラインブックマークサービスにおいて、例えば、過去に登録された内容に上書きしてコンテンツを登録する機能を提供する場合等では、この上書きが成功したことを示す情報等も登録結果として通知するとよい。
【００９３】
また、Ｓ０５の判別の結果、ブックマーク呼出ボタン群３２６のボタン（ブックマーク呼出ボタン）が押下されたと判別された場合、利用者端末３１０は、予め登録された携帯用ブックマーク装置ＩＤと受信したブックマーク呼出ボタンＩＤとをネットワーク１を介してサービス提供システム１０１へ送信する（Ｓ１１）。この処理は、利用者端末３１０におけるブラウザソフトウェアで行われる。また、本プロセスにおいてブラウザソフトウェアが起動されていない場合、携帯用ブックマーク装置３２０から入力されたことを検知して自動的にブラウザソフトウェアが起動されるよう構成するとよい。
【００９４】
サービス提供システム１０１では、ネットワーク１を介して受信した各情報にブックマーク呼出ボタンＩＤが含まれていることが判別され、このブックマーク呼出ボタンＩＤと携帯用ブックマーク装置ＩＤとを用いて、ブックマークデータベース１０２において対応するコンテンツ識別子と閲覧状態／再生状態とが特定される（Ｓ１２）。その後、特定されたコンテンツ識別子と閲覧状態／再生状態とは、ネットワーク１を介してサービス提供システム１０１から利用者端末３１０へ通知される（Ｓ１３）。
【００９５】
利用者端末３１０は、サービス提供システム１０１からコンテンツ識別子と閲覧状態／再生状態とが通知されると、これがブラウザソフトウェアへ指定・設定される（Ｓ１４）。従って、ブラウザソフトウェアは、このコンテンツ識別子に基づいてネットワーク１上から（但し、ネットワーク１に限定されず、他のネットワークやバス等を介するものであってもよい）該当するコンテンツを取得し（Ｓ１５）、これを閲覧状態／再生状態に基づいて利用者端末３１０のディスプレイ上に表示／再生する（Ｓ１６）。
また、Ｓ０５の判別の結果、利用終了ボタン３２７のボタンが押下されたと判別された場合、利用者端末３１０に記録されていた携帯用ブックマーク装置ＩＤを消去する（Ｓ１７）。
【００９６】
上述したように、本実施形態では、利用者が簡便にオンラインブックマークサービスを利用することができる。つまり、利用者は携帯用ブックマーク装置３２０のボタンを押下するだけで、要求するサービスを利用することが可能となる。
【００９７】
また、利用者が携帯用ブックマーク装置３２０の使用開始時に利用者端末３１０に設けられた識別情報読取装置に、携帯用ブックマーク装置３２０のユニークな識別情報を読み取らせることで、利用者端末の操作及び画面表示等の対象となる携帯用ブックマーク装置についての対応付けを行い、それ以降対応付けられた携帯用ブックマーク装置からの要求信号を利用者端末に送信した場合に、その読み取った識別情報に基づく処理が行われるようにすることができる。
【００９８】
更に、利用者がその識別情報での処理を終了する場合は、携帯用ブックマーク装置に備える終了ボタン等を押下することにより、利用者端末は読み取った識別情報に対する提示処理を終了する。これにより、携帯用ブックマーク装置の使用時にのみ識別信号を利用者端末に送信すればよいため、効率的な信号の伝送を行うことができる。
【００９９】
また、１つの利用者端末に対して複数の携帯用ブックマーク装置からアクセスがあった場合にも、モニタ等の出力装置に現在の使用状況や指示情報等を提示することにより、使用性を向上させることができる。以下に１つ利用者端末に対して複数の携帯用ブックマーク装置がアクセスする場合の実施形態の概略動作についてフローチャートを用いて説明する。
【０１００】
＜利用者端末と携帯用ブックマーク装置とが１対ｎの関係の場合＞
図５は、本実施形態における利用者端末の概略動作例を示す第２のフローチャートである。なお、図５は、利用者端末と携帯用ブックマーク装置とが１対ｎ（ｎ；複数）の関係の場合について説明するものである。また、複数の携帯用ブックマーク装置を利用時における動作内容についてわかり易く説明するため、携帯用ブックマーク装置３２０．１と３２０．２とを用いた処理内容について説明する。
【０１０１】
まず、利用者端末３１０の識別情報読取部３１１に使用者が使用する携帯用ブックマーク装置３２０．１に備える識別情報記録部３２１．１に記録されている識別情報（携帯用ブックマーク装置ＩＤ）を読み込む（Ｓ２１）。利用者端末３１０は、携帯用ブックマーク装置３２０．１に設けられた利用終了ボタンが押下され、それまで利用者端末３１０の対象となっていた携帯用ブックマーク装置ＩＤを消去するまで、読み込まれたＩＤに基づいてブックマークの参照等が行えるように利用者端末のメモリ装置３３５や、補助記憶装置３３４等の記録領域内に記録する（Ｓ２２）。
【０１０２】
次に、利用者端末３１０は、携帯用ブックマーク装置３２０．１のリモコン信号受信部３１２からの携帯用ブックマーク装置３２０．１の何れかのボタンが押下されることにより送信されるリモコン信号、又は識別情報読取部３１１からの識別情報の何れかを検知する（Ｓ２３）。
【０１０３】
ここで、Ｓ２３にて検知された検知結果を判断する（Ｓ２４）。Ｓ２４にて別の識別情報記録媒体（例えば、携帯用ブックマーク装置３２０．２の識別情報）を識別情報読取部３１１にて検知した場合は、Ｓ２２に戻り、新たな識別情報を記録しＳ２３以降の処理を行う。また、Ｓ２４において、携帯用ブックマーク装置３２０のボタン押下による信号を検知した場合は、このボタンに対応するＩＤ（新規ブックマークボタンＩＤ又はブックマーク呼出ボタンＩＤ）を、リモコン部３２２からリモコン信号受信部３１２へ送信する（Ｓ２５）。
【０１０４】
利用者端末３１０は、受信した各識別情報に含まれる押下されたボタンのＩＤに基づいて、押下されたボタンの種類を判別する（Ｓ２６）。Ｓ２６において、新規ブックマークボタン群３２５のボタン（新規ブックマークボタン）が押下されたと判別された場合、利用者端末３１０は、ブックマークを登録する携帯用ブックマーク装置の識別番号ＩＤを取得するため、出力装置３３２（モニタ等）にその旨の表示を行い、利用者に識別番号ＩＤを読み込ませる動作を行うような指示を促す（Ｓ２７）。なお、ここでの識別番号ＩＤは、携帯用ブックマーク装置３２０．１又は携帯用ブックマーク装置３２０．２の識別番号ＩＤとなる。
【０１０５】
利用者端末３１０は、ブックマークする携帯用ブックマーク装置３２０．１、又は３２０．２の識別番号ＩＤ２を読み込むと（Ｓ２８）、その識別番号ＩＤ２を基準として現在立ち上げられているブラウザソフトウェアにおいて表示／再生されているコンテンツの識別子（ＵＲＬやアドレス等）と、現在の閲覧状態／再生状態を取得する（Ｓ２９）。
【０１０６】
このコンテンツは、上述でも説明したように、コンテンツ提供側２００のコンテンツ提供システム２０１．１…２０１．ｎから取得し、ブラウザソフトウェアにより表示／再生されているものである。
【０１０７】
Ｓ２９において、現在ブラウザソフトウェアにおいて表示／再生されているコンテンツの識別子と閲覧状態／再生状態を取得すると、利用者端末３１０は、このコンテンツ識別情報と閲覧状態／再生状態の情報（本説明では、閲覧状態／再生状態と省略して説明する）と、上記ステップで携帯用ブックマーク装置３２０．１又は３２０．２の識別番号ＩＤ２と、新規ブックマークボタンＩＤとをネットワーク１を介してサービス提供システム１０１へ送信する（Ｓ３０）。
【０１０８】
サービス提供システム１０１では、受信した情報を参照して新規ブックマークボタンＩＤが含まれていることが判別され、この新規ブックマークボタンＩＤに対応するブックマーク呼出ボタンＩＤが特定され、特定されたブックマーク呼出ボタンＩＤと、受信した情報に含まれる携帯用ブックマークＩＤ及びコンテンツ識別子及び閲覧状態／再生状態と、がブックマークデータベース１０２の同一レコードへ格納される（Ｓ３１）。ここで、閲覧状態／再生状態は、後に利用者が他の利用者端末に対して閲覧／再生を要求した場合に、登録時の閲覧状態や再生状態から継続して閲覧／再生できるよう構成するためのものである。
【０１０９】
また、このように各情報を対応してブックマークデータベース１０２へ登録後、サービス提供システム１０１は、この登録結果を利用者端末３１０へ通知し（Ｓ３２）、利用者端末３１０において利用者へ登録結果が表示される（Ｓ３３）。通知される登録結果としては、登録が正常に終了したかを示す情報や、携帯用ブックマーク装置３２０の何れのブックマーク呼出ボタンに該当するコンテンツが割り当てられたかを示す情報等である。また、本実施形態で提供されるオンラインブックマークサービスにおいて、例えば、過去に登録された内容に上書きしてコンテンツを登録する機能を提供する場合等では、この上書きが成功したことを示す情報等も登録結果として通知するとよい。
【０１１０】
また、Ｓ２６の判別の結果、ブックマーク呼出ボタン群３２６のボタン（ブックマーク呼出ボタン）が押下されたと判別された場合、利用者端末３１０は、予め記録された携帯用ブックマーク装置ＩＤと受信したブックマーク呼出ボタンＩＤとをネットワーク１を介してサービス提供システム１０１へ送信する（Ｓ３４）。この処理は、利用者端末３１０におけるブラウザソフトウェアで行われる。また、本プロセスにおいてブラウザソフトウェアが起動されていない場合、携帯用ブックマーク装置３２０．１から入力されたことを検知して自動的にブラウザソフトウェアが起動されるよう構成するとよい。
【０１１１】
サービス提供システム１０１では、ネットワーク１を介して受信した各情報にブックマーク呼出ボタンＩＤが含まれていることが判別され、このブックマーク呼出ボタンＩＤと携帯用ブックマーク装置ＩＤとを用いて、ブックマークデータベース１０２において対応するコンテンツ識別子と閲覧状態／再生状態とが特定される（Ｓ３５）。その後、特定されたコンテンツ識別子と閲覧状態／再生状態とは、ネットワーク１を介してサービス提供システム１０１から利用者端末３１０へ通知される（Ｓ３６）。
【０１１２】
利用者端末３１０は、サービス提供システム１０１からコンテンツ識別子と閲覧状態／再生状態とが通知されると、これがブラウザソフトウェアへ指定・設定される（Ｓ３７）。従って、ブラウザソフトウェアは、このコンテンツ識別子に基づいてネットワーク１上から（但し、ネットワーク１に限定されず、他のネットワークやバス等を介するものであってもよい）該当するコンテンツを取得し（Ｓ３８）、これを閲覧状態／再生状態に基づいて利用者端末３１０のディスプレイ上に表示／再生する（Ｓ３９）。
また、Ｓ２６の判別の結果、利用終了ボタン３２７のボタンが押下されたと判別された場合、利用者端末３１０に記録されていた携帯用ブックマーク装置ＩＤを消去する（Ｓ４０）。
【０１１３】
上述したように、本実施形態では、利用者は、携帯用ブックマーク装置３２０のボタンを押下するだけで、要求するサービスを利用することが可能となる。
【０１１４】
また、１つの利用者端末に対して複数の携帯用ブックマーク装置からアクセスがあった場合にも、モニタ等の出力装置にて現在の使用状況や指示情報等を提示することにより、使用性を向上させることができる。更に、携帯用ブックマーク装置の使用時にのみ識別信号を利用者端末に送信すればよいため、効率的な信号の伝送を行うことができる。
【０１１５】
なお、上述のステップＳ３４〜Ｓ３９においては、利用者端末３１０に登録されている携帯用ブックマーク装置３２０の識別番号ＩＤに対するブックマークを他の携帯用ブックマーク装置から呼び出すこともできる。これにより、携帯用ブックマーク装置３２０のボタン群３２５、又はリモコン部３２２が故障した場合にも、識別情報記録部３２１に記録された識別番号ＩＤを利用者端末３１０に登録させることで、他の携帯用ブックマークを利用してブックマークの呼び出しを即座に実行することができる。
【０１１６】
つまり、識別情報記録部３２１のみを設けていれば、他のリモコンを有効利用することができる。これにより、専用のブックマーク装置として製造して実現するだけでなく、リモコン機能を持つ携帯電話や携帯端末でも装置識別情報記録媒体を設置するだけで、携帯用ブックマーク装置として使用することができる。
【０１１７】
なお、本発明では、識別情報記録部に携帯用ブックマーク装置毎にユニークとなる識別番号ＩＤを記録しておく必要があるが、このときにオンラインブックマークサービスを提供するサービスのネットワーク上の所在情報（ＵＲＬ等）を同時に記録する。
【０１１８】
このように、識別情報記録部を有することにより、携帯用ブックマーク装置のＩＤ以外の情報を記録できる記録容量が確保できる。その点を利用して、オンラインブックマークサービスの所在情報を携帯用オンラインブックマーク装置の識別情報記録部に記録しておくことで、携帯用ブックマーク装置毎に異なるサービスを利用者端末から呼び出すことができるようになる。
【０１１９】
ここで、識別情報記録部は、携帯用ブックマーク装置のその他の構成部分とは、着脱可能となるように構成することができる。例えば、識別情報記録部がカード状である場合は携帯用ブックマーク装置に貼り付けることもでき、また、従来のリモコンに電池を収納するように、識別情報記録部を収納させてもよい。
【０１２０】
これにより、同一利用者端末でも携帯用ブックマーク装置によって異なるサービスを呼び出せるようになるので、サービス方式としての汎用性が高まり、複数の業者によるサービスが提供でき、利用者の選択を拡げ、需要の拡大を図ることができる。また、リモコンのボタンと識別番号ＩＤを対応付けるのではなく、携帯用ブックマーク装置に対応付けることによりリモコンを有効利用させることができ、利便性を向上させることができる。
【０１２１】
＜利用者端末表示例＞
次に、利用者端末側にて表示される画面例について図を用いて説明する。
【０１２２】
図６は、本発明におけるコンテンツ表示画面構成の一例を示す図である。図６のコンテンツ表示画面３５１は、コンテンツ表示用領域３５２と、オンラインブックマークサービス用情報表示領域３５３とから構成されている。なお、コンテンツ表示用領域３５２には、コンテンツ表示用ブラウザ３５４と、コンテンツ表示用ブラウザ３５４に表示される内容を選択・変更等をさせるためのメニュー領域３５５とを有し、オンラインブックマークサービス用情報表示領域３５３には、現在ブックマークを利用している利用者端末にて記録された携帯用ブックマーク装置の識別番号ＩＤを表示する利用ＩＤ表示領域３５６と、ユーザ指示表示領域３５７とを有している。
【０１２３】
次に、コンテンツ表示画面３５１における表示動作について図を用いて説明する。まず、携帯用ブックマーク装置の識別番号ＩＤが識別情報読取部３１１にて読み取られると、利用ＩＤ表示領域３５６にＩＤが表示される。次に、携帯用ブックマーク装置にてボタンが押下されると、そのボタンに対応したブックマークを取得し、コンテンツ表示用ブラウザ３５４に表示する。また、コンテンツ表示用ブラウザ３５４の表示内容の操作は、メニュー領域３５５にあるボタン群や、文字によるメニュー表示（図示せず）により、利用者はコンテンツ表示用ブラウザ３５４に表示されたコンテンツに対する操作を行うことができる。
【０１２４】
また、コンテンツ表示用ブラウザ３５４に表示されているコンテンツを携帯用ブックマーク装置に登録する場合、登録するボタンを新規ブックマークボタン群の中から選択して押下すると、携帯用ブックマーク装置の識別番号ＩＤ２を取得するために、ユーザ指示表示領域３５７にて例えば、「ブックマークするリモコンをリーダにかざしてください。」（図６▲１▼）のようなメッセージを提示し、利用者に対してコンテンツをブックマーク登録する携帯用ブックマーク装置の識別番号ＩＤ２を読み取らせるための動作を行わせるような指示を行う。
【０１２５】
次に、識別番号ＩＤ２読み取りが完了すると、例えば「ブックマークするＩＤを読み込みました。」（図６▲２▼）のようなメッセージを表示し、更に、サービス提供システムにて登録が完了すると、「ＩＤ□□□□に表示中のコンテンツをブックマーク登録しました。」（図６▲３▼）のようなメッセージを表示する。なお、ブックマークの新規登録時には、現在ブックマークを利用している携帯用ブックマーク装置でもよく、他の携帯用ブックマーク装置でも対応することができる。
【０１２６】
これにより、複数の携帯用ブックマーク装置を用いて１つの利用者端末を共用することができる。また、現在使用している利用者が利用を中断することなく、コンテンツの表示を行うことができる。また、本発明におけるオンラインブックマークサービス提供システム、及び利用者端末の使用性を向上させることができる。
【０１２７】
上述したように本発明によれば、利用者が簡便にオンラインブックマークサービスを利用することができる。つまり、携帯用ブックマーク装置のボタンを押下するだけで、要求するサービスを利用することが可能となる。また、利用者が携帯用ブックマーク装置の使用開始時に読み取り装置にその記録媒体から識別情報を利用者端末に読み取らせることで、利用者端末の操作及び画面表示等の対象となる携帯ブックマーク装置についての対応付けを行い、それ以降対応付けられた携帯用ブックマーク装置からの要求信号を利用者端末に送信した場合に、その読み取った識別情報に基づく処理が行われるようにすることができる。更に、携帯用ブックマーク装置の使用時にのみ識別信号を利用者端末に送信すればよいため、効率的な信号の伝送を行うことができる。
【０１２８】
また、１つの利用者端末に対して複数の携帯用ブックマーク装置からアクセスがあった場合にも、モニタ等にて現在の使用状況や指示情報等を提示することにより、使用性を向上させることができる。
【０１２９】
また、オンラインブックマークサービス利用プログラムを有することにより、他の利用者端末でも容易に本発明におけるオンラインブックマークサービスを利用することができる。
【０１３０】
また、利用者端末におけるモニタ等の表示画面において、現在の利用者端末に対応付けられている携帯用ブックマーク装置を持つ利用者と他の携帯用ブックマーク装置を持つ利用者とが同一の利用者端末を共用して使用できるような画面構成にすることにより、利便性を向上させたオンラインブックマークサービスの利用を実現できる。
【０１３１】
これにより、簡単な操作によりオンラインブックマークの登録、参照を行うことができ、更に、ユーザの使用性を向上させることができるオンラインブックマークサービス提供システムを実現できる。
【０１３２】
以上本発明の好ましい実施例について詳述したが、本発明は係る特定の実施形態に限定されるものではなく、特許請求の範囲に記載された本発明の要旨の範囲内において、種々の変形、変更が可能である。
【０１３３】
【発明の効果】
上述の如く本発明によれば、利用者が簡便にオンラインブックマークサービスを利用することができる。
【図面の簡単な説明】
【図１】本発明におけるオンラインブックマークサービス提供システムの一構成概略例を示す図である。
【図２】本発明におけるオンラインブックマークサービスの利用が実現可能なハードウェア構成の一例を示す図である。
【図３】本発明における携帯用ブックマーク装置の一構成例を示す一例の図である。
【図４】本実施形態における利用者端末の概略動作例を示す第１のフローチャートである。
【図５】本実施形態における利用者端末の概略動作例を示す第２のフローチャートである。
【図６】本発明におけるコンテンツ表示画面構成の一例を示す図である。
【符号の説明】
１  通信ネットワーク
１００  オンラインブックマークサービス提供側
１０１  サービス提供システム
１０２  ブックマークデータベース
２００  コンテンツ提供側
２０１  コンテンツ提供システム
３００  利用者側
３１０  利用者端末
３１１  識別情報読取部
３１２  リモコン信号受信部
３２０  携帯用ブックマーク装置
３２１  識別情報記録部
３２２  リモコン部
３２５  新規ブックマークボタン
３２６  ブックマーク呼出ボタン
３２７  利用終了ボタン
３３１  入力装置
３３２  出力装置
３３３  ドライブ装置
３３４  補助記憶装置
３３５  メモリ装置
３３６  ＣＰＵ
３３７  ネットワーク接続装置
３３８  記録媒体
３５１  コンテンツ表示画面
３５２  コンテンツ表示用領域
３５３  オンラインブックマークサービス用情報表示領域３５３
３５４  コンテンツ表示用ブラウザ
３５５  メニュー領域
３５６  利用ＩＤ表示領域
３５７  ユーザ指示表示領域
【図１】
2004341908.tif 000003
【図２】
2004341908.tif 000004
【図３】
2004341908.tif 000005
【図４】
2004341908.tif 000006
【図５】
2004341908.tif 000007
【図６】
2004341908.tif 000008